(57)【特許請求の範囲】
【請求項１】
（ａ）ドットマトリクス表示器であって、
表示面に、複数の表示ドットがマトリクス状に配置され、
表示ドットの横方向および縦方向のいずれか一方のピッチｐ２は、他方向のピッチをｐ１とし、ａ，ｂを定数とするとき（ただしｂ＞ａ）、
ｐ２ ＝ （ｂ／ａ）・ｐ１
であり、
１文字分の表示領域に存在する表示ドットの前記一方向のドット数ｍと前記他方向のドット数ｎとは、
ｍ ≒ （ａ／ｂ）・ｎ
であるドットマトリクス表示器と、
（ｂ）１文字分の表示領域に存在する横方向と縦方向とのドット数が等しく、かつ横方向と縦方向との各方向のピッチが等しく配列された複数の表示ドットによって表示すべき１または複数の文字分の表示データをストアするメモリと、
（ｃ）表示アドレス変換手段であって、
前記メモリにストアされた表示データを読出し、
その読出された表示データを有する各文字中の表示ドットが、前記一方向に第ｉ番目であってかつ前記他方向に第ｊ番目であり、（ａ／ｂ）・ｉの小数点以下を四捨五入した自然数を、ｋで表し、
ドットマトリクス表示器の前記一方向の第ｋ番目であってかつ前記他方向の第ｊ番目である表示ドットに、前記読出された表示データを表示させる表示アドレス変換手段とを含むことを特徴とする表示装置。
【請求項２】
（ａ）ドットマトリクス表示器であって、
表示面に、複数の表示ドットがマトリクス状に配置され、
表示ドットの横方向および縦方向のいずれか一方のピッチｐ２は、他方向のピッチをｐ１とし、ａ，ｂを定数とするとき（ただしｂ＞ａ）、
ｐ２ ＝ （ｂ／ａ）・ｐ１
であり、
１文字分の表示領域に存在する表示ドットの前記一方向のドット数ｍと前記他方向のドット数ｎとは、
ｍ ≒ （ａ／ｂ）・ｎ
であるドットマトリクス表示器と、
（ｂ）１文字分の表示領域に存在する横方向と縦方向とのドット数が等しく、かつ横方向と縦方向との各方向のピッチが等しく配列された複数の表示ドットによって表示すべき１または複数の文字分の表示データをストアするメモリと、
（ｃ）表示アドレス変換手段であって、
前記メモリにストアされた表示データを読出し、
その読出された表示データを有する各文字中の表示ドットが、前記一方向に第ｉ番目であってかつ前記他方向に第ｊ番目であり、（ａ／ｂ）・ｉの小数点以下を切上げした自然数を、ｋで表し、
ドットマトリクス表示器の前記一方向の第ｋ番目であってかつ前記他方向の第ｊ番目である表示ドットに、前記読出された表示データを表示させる表示アドレス変換手段とを含むことを特徴とする表示装置。
【請求項３】
（ａ）ドットマトリクス表示器であって、
表示面に、複数の表示ドットがマトリクス状に配置され、
表示ドットの横方向および縦方向のいずれか一方のピッチｐ２は、他方向のピッチをｐ１とし、ａ，ｂを定数とするとき（ただしｂ＞ａ）、
ｐ２ ＝ （ｂ／ａ）・ｐ１
であり、
１文字分の表示領域に存在する表示ドットの前記一方向のドット数ｍと前記他方向のドット数ｎとは、
ｍ ≒ （ａ／ｂ）・ｎ
であるドットマトリクス表示器と、
（ｂ）１文字分の表示領域に存在する横方向と縦方向とのドット数が等しく、かつ横方向と縦方向との各方向のピッチが等しく配列された複数の表示ドットによって表示すべき１または複数の文字分の表示データをストアするメモリと、
（ｃ）表示アドレス変換手段であって、
前記メモリにストアされた表示データを読出し、
その読出された表示データを有する各文字中の表示ドットが、前記一方向に第ｉ番目であってかつ前記他方向に第ｊ番目であり、（ａ／ｂ）・ｉの小数点以下を切捨てした自然数を、ｋで表し、
ドットマトリクス表示器の前記一方向の第ｋ番目であってかつ前記他方向の第ｊ番目である表示ドットに、前記読出された表示データを表示させる表示アドレス変換手段とを含むことを特徴とする表示装置。
【発明の詳細な説明】
【０００１】
【発明の属する技術分野】
本発明は、表示面に複数の発光ダイオード（略称ＬＥＤ）などから成る表示ドットがマトリクス状に配置されて文字を表示するドットマトリクス表示器を用いた表示装置に関する。
【０００２】
【従来の技術】
本件明細書中、「文字」というのは、漢字、ひらがな、カタカナ、アルファベット、数字などの文字のほかに、記号、図形などを含む。
【０００３】
従来からのＬＥＤドットマトリクス表示器では、１文字分のドット数が横１６×縦１６の表示ドットから成るドットマトリクス配列を有し、表示面の１文字分の表示領域は正方形である。横方向および縦方向のピッチは等しい。これによって日本語のひらがなおよびカタカナだけでなく、漢字をも充分に文字の表現性および表示品位を高めて表示することができる。
【０００４】
たとえば、一辺が１４４ｍｍの正方形の表示面に横１６×縦１６個の表示ドットで１文字分のドットマトリクスを構成した場合、ピッチは９（＝１４４×１／１６）ｍｍ、ドット数は２５６（＝１６×１６）ドットとなる。ここで各表示ドットを構成するＬＥＤのランプ素子の数は当然にドット数に比例するので、１ドットが１個のＬＥＤランプ素子で構成するとすれば、２５６個のＬＥＤランプ素子が必要となる。このＬＥＤランプ素子の数を削減するために、縦横のピッチを広げ、たとえば横１２×縦１２ドットで１文字分のマトリクスを構成すると、ピッチは１２（＝１４４×１／１２）ｍｍ、ドット数は１４４（＝１２×１２）ドットとなり、ＬＥＤランプ素子の数は１４４個、つまり１６×１６ドットのＬＥＤドットマトリクス表示器よりも１１２（＝２５６−１４４）個のＬＥＤランプ素子を削減することができる。この反面、表示ドット間の隙間であるピッチが大きくなることで、文字としてのまとまりが悪くなり、文字の表現性、表示品位において大幅に劣化するという問題がある。さらにとりわけ漢字を表示する場合においては、画数の多い文字ほど、物理的に表現できない場合が多くなり、実使用上大きな障害となるという問題がある。
【０００５】
或る公知技術（特開平１０−６３２００）はスクロール表示するＬＥＤドットマトリクス表示器の表示内容が不自然に見えることを防止するために、各発光ダイオードの形状を縦方向に細長く形成し、横方向にスクロール表示する。この公知技術は、表示ドットのピッチあるいはドット数を工夫したものであり、上述の問題を何ら提起していない。
【０００６】
【発明が解決しようとする課題】
本発明の目的は、文字などの表示されるべきキャラクタの表現性および表示品位を向上し、しかも表示ドットのドット数を低減することができるようにしたドットマトリクス表示器を用いた表示装置を提供することである。
【０００７】
【課題を解決するための手段】
本発明は、（ａ）ドットマトリクス表示器であって、
表示面に、複数の表示ドットがマトリクス状に配置され、
表示ドットの横方向および縦方向のいずれか一方のピッチｐ２は、他方向のピッチをｐ１とし、ａ，ｂを定数とするとき（ただしｂ＞ａ）、
ｐ２ ＝ （ｂ／ａ）・ｐ１
であり、
１文字分の表示領域に存在する表示ドットの前記一方向のドット数ｍと前記他方向のドット数ｎとは、
ｍ ≒ （ａ／ｂ）・ｎ
であるドットマトリクス表示器と、
（ｂ）１文字分の表示領域に存在する横方向と縦方向とのドット数が等しく、かつ横方向と縦方向との各方向のピッチが等しく配列された複数の表示ドットによって表示すべき１または複数の文字分の表示データをストアするメモリと、
（ｃ）表示アドレス変換手段であって、
前記メモリにストアされた表示データを読出し、
その読出された表示データを有する各文字中の表示ドットが、前記一方向に第ｉ番目であってかつ前記他方向に第ｊ番目であり、（ａ／ｂ）・ｉの小数点以下を四捨五入した自然数を、ｋで表し、
ドットマトリクス表示器の前記一方向の第ｋ番目であってかつ前記他方向の第ｊ番目である表示ドットに、前記読出された表示データを表示させる表示アドレス変換手段とを含むことを特徴とする表示装置である。
また本発明は、（ａ）ドットマトリクス表示器であって、
表示面に、複数の表示ドットがマトリクス状に配置され、
表示ドットの横方向および縦方向のいずれか一方のピッチｐ２は、他方向のピッチをｐ１とし、ａ，ｂを定数とするとき（ただしｂ＞ａ）、
ｐ２ ＝ （ｂ／ａ）・ｐ１
であり、
１文字分の表示領域に存在する表示ドットの前記一方向のドット数ｍと前記他方向のドット数ｎとは、
ｍ ≒ （ａ／ｂ）・ｎ
であるドットマトリクス表示器と、
（ｂ）１文字分の表示領域に存在する横方向と縦方向とのドット数が等しく、かつ横方向と縦方向との各方向のピッチが等しく配列された複数の表示ドットによって表示すべき１または複数の文字分の表示データをストアするメモリと、
（ｃ）表示アドレス変換手段であって、
前記メモリにストアされた表示データを読出し、
その読出された表示データを有する各文字中の表示ドットが、前記一方向に第ｉ番目であってかつ前記他方向に第ｊ番目であり、（ａ／ｂ）・ｉの小数点以下を切上げした自然数を、ｋで表し、
ドットマトリクス表示器の前記一方向の第ｋ番目であってかつ前記他方向の第ｊ番目である表示ドットに、前記読出された表示データを表示させる表示アドレス変換手段とを含むことを特徴とする表示装置である。
また本発明は、（ａ）ドットマトリクス表示器であって、
表示面に、複数の表示ドットがマトリクス状に配置され、
表示ドットの横方向および縦方向のいずれか一方のピッチｐ２は、他方向のピッチをｐ１とし、ａ，ｂを定数とするとき（ただしｂ＞ａ）、
ｐ２ ＝ （ｂ／ａ）・ｐ１
であり、
１文字分の表示領域に存在する表示ドットの前記一方向のドット数ｍと前記他方向のドット数ｎとは、
ｍ ≒ （ａ／ｂ）・ｎ
であるドットマトリクス表示器と、
（ｂ）１文字分の表示領域に存在する横方向と縦方向とのドット数が等しく、かつ横方向と縦方向との各方向のピッチが等しく配列された複数の表示ドットによって表示すべき１または複数の文字分の表示データをストアするメモリと、
（ｃ）表示アドレス変換手段であって、
前記メモリにストアされた表示データを読出し、
その読出された表示データを有する各文字中の表示ドットが、前記一方向に第ｉ番目であってかつ前記他方向に第ｊ番目であり、（ａ／ｂ）・ｉの小数点以下を切捨てした自然数を、ｋで表し、
ドットマトリクス表示器の前記一方向の第ｋ番目であってかつ前記他方向の第ｊ番目である表示ドットに、前記読出された表示データを表示させる表示アドレス変換手段とを含むことを特徴とする表示装置である。
【０００８】
本発明は、ドットマトリクス表示器における各表示ドットのたとえば横方向のピッチｐ２を縦方向のピッチｐ１よりも一定量広くし、かつ１文字分を構成する表示ドットの配列において、横方向のドット数ｍが縦方向のドット数ｎよりも少ないことを特徴としたものである。したがって従来の縦横のピッチが同じドットマトリクス配列の表示器と同等の表示面積を確保した上で、各発光ドット部を構成する表示ドットの員数を一定数量削減することができる。
【０００９】
本発明に従えば、マトリクス状に配置された複数の表示ドットの一方向（たとえば横方向）のピッチｐ２を、他方向（たとえば縦方向）のピッチｐ１よりも大きく選び（ｐ２＞ｐ１）、しかも１文字分を構成する表示ドットの配列において、前記一方向のドット数ｍが、前記他方向のドット数ｎよりも小さく選ぶ（ｍ＜ｎ）。こうして１文字分の表示領域は、たとえば正方形またはほぼ正方形に形成される。このように前記一方向のピッチｐ２を、前記他方向のピッチｐ１よりも一定寸法広げることによって、前記他方向の表示ドットの数ｎよりも前記一方向の表示ドットの数ｍを、一定数量少なくすることができる。前記他方向のピッチｐ１は、前記一方向のピッチｐ２未満であり、その他方向のドット数ｎは前記一方向のドット数ｍを超える値であるので、表示されるべきキャラクタの表現性および表示品位が劣化する要素は、前記一方向のドット数ｍの減少のみとなる。
【００１０】
日本語の漢字については、横画よりも縦画が少なく、すなわち漢字の１文字において一般的に、左右の横方向に延びる文字部分の数よりも、上下の縦方向に延びる文字部分の数が少ない。したがって横方向および縦方向の両方向のピッチをいずれも前述の大きいピッチｐ２としてドット数をさらに削減した構成に比べて、本発明のように前記一方向のピッチｐ２のみを大きくしてドット数ｍのみを削減した構成の方が、キャラクタの表現性および表示品位の劣化を非常に少なくすることができ、実使用上において大きな障害となりにくい。
【００１２】
各表示ドットは、前記一方向に細長く形成され、たとえば表示ドットがたとえば後述の図１０のようにほぼ楕円形であり、または小判形であって、その長辺が前記一方向に延び、短辺が前記他方向で延びてもよい。または各表示ドットは、前記一方向に隣接して配置された複数（後述の図１１では２）の表示素子から成ってもよい。こうして各表示ドットにおける前記一方向のドット長さが、前記他方向のドット長さよりも長く構成し、前記一方向のピッチｐ２を前記他方向のピッチｐ１よりも広げることによって生じる前記一方向に間隔をあけて隣接する各表示ドット間の隙間を縮め、前記一方向および前記他方向の各ピッチｐ２，ｐ１の違いによる文字などの表示の不自然さを緩和し、前記一方向に間隔をあけて隣接する各表示ドットの繋がりをよくして、文字などの表現性を向上させ、表示品位を向上することができる。
【００１５】
本発明のドットマトリクス表示器は、前述のように発光ダイオードが配置された構成を有してもよいけれども、そのほかの表示素子が表示ドット毎に用いられた構成を有してもよく、さらに液晶表示素子および陰極線管などにおいて各画素が表示ドットを構成するようにしてもよい。前記一方向は、実使用上では横方向が多いけれども、実施の他の形態では、縦方向であってもよい。
【００１７】
本発明に従えば、ドットマトリクス表示器における前記一方向のピッチｐ２を、前記他方向のピッチｐ１の（ｂ／ａ）倍に定め、前記一方向のドット数ｍは、前記他方向のドット数ｎの（ａ／ｂ）倍にほぼ等しい値に選び、これによって１文字分の表示領域は、たとえば正方形またはほぼ正方形である。
【００１８】
メモリ１１内には、後述の図６および図７のように縦方向のピッチｐ３と横方向のピッチｐ４とが等しく定められたマトリクス状の複数の表示ドット３ｃによって表示すべき１または複数の文字分の表示データがストアされている。このメモリにストアされた表示データを、表示アドレス変換手段を用いて変換して、本発明のドットマトリクス表示器を表示駆動する。
【００１９】
表示面の１文字分の表示領域が正方形またはほぼ正方形に近い形状を有するたとえばＬＥＤを用いたドットマトリクス表示器において、図６および図７のような横および縦の表示ドットのピッチが等しく、横および縦のドット数が等しいマトリクス状のドットフォントから、本発明に従い、たとえば横方向である前記一方向のピッチｐ２がたとえば縦方向である前記他方向のピッチｐ１に対して（ｂ／ａ）倍であり、したがって前記一方向のドット数ｍが前記他方向のドット数ｎに対して（ａ／ｂ）倍になるように形成されたマトリクス状のドット配列に適合するドットフォントに変換することができる。たとえばａ＝３、ｂ＝４であってもよい。
【００２０】
前記メモリ１１にストアされている表示データは、横方向と縦方向とのピッチが等しく、かつ横方向と縦方向のドット数が等しいドットマトリクス配列において、各表示ドット３ｃに与える表示データがストアされ、このような表示ドットの配列をＡとする。本発明に従って構成されるドットマトリクス表示器では、たとえば横方向のピッチｐ２はたとえば縦方向のピッチｐ１に対し（ｂ／ａ）倍であり、したがって横方向のドット数ｍは縦方向のドット数ｎに対し（ａ／ｂ）倍になるように形成され、このようなマトリクス状の表示ドットの配列をＢとする。この配列Ａの１文字分の表示領域において、上から第ｊ番目である第ｊ行目上で、左から第ｉ番目、すなわち座標（ｉ，ｊ）を有する表示ドット３ｃのフォントの表示データは、配列Ｂの第ｊ行目で第ｋ列目の座標（ｋ，ｊ）の位置にある表示ドットの表示データに移行して変換する。
【００２１】
配列Ａにおいて横方向に間隔をあけて隣接する複数の表示ドットのフォントの表示データを、配列Ｂの対応する単一の表示ドットの表示データとして変換する場合、配列Ａにおける前記複数の表示ドットのうちの単一の表示ドットの表示データが、表示すべき文字などのキャラクタの構成要素を成していれば、配列Ｂにおいて該当する表示ドットも、その表示データをそのまま用いる。さらに配列Ａの前記複数の表示ドットのうち、複数の表示ドットがいずれもキャラクタの構成要素を成していれば、配列Ｂにおいて該当する表示ドットも、配列Ａにおける表示データの大きい方の輝度または高濃度の表示データを、用いる。さらに本発明の実施の他の形態では、配列Ａの前記複数の表示ドットのうち、複数の表示ドットのフォントの表示データが、配列Ｂの該当する単一のドットとして用いる場合、配列Ｂの該当する表示ドットの表示データを、前記複数の表示ドットの表示データのうちの最大の輝度または最高濃度よりももっと大きい輝度または濃度で表示データを作成して与えるようにしてもよい。前述の値ｋは、（ａ／ｂ）・ｉの小数点以下を四捨五入した自然数である。本発明の実施の他の形態では、四捨五入の代りに、小数点以下の切上げまたは切捨てをした自然数であってもよい。
【００２２】
前記一方向を、縦方向とし、前記他方向を横方向として、本発明を上述と同様に実施してもよい。
【００２７】
【発明の実施の形態】
図１は、本発明の実施の一形態のドットマトリクス表示器１の一部の表示面２を示す表面図である。この表示面２には、複数のたとえば円形の２次形形状を有する表示ドット３が、マトリクス状に配置される。表示ドット３の横方向および縦方向のいずれか一方向（この実施の形態ではたとえば横方向）のピッチｐ２は、他方向（たとえばこの実施の形態では縦方向）のピッチｐ１よりも大きい（ｐ２＞ｐ１）。ピッチは、各表示ドットの２次元形状の図心間の距離を言う。
【００２８】
ａ，ｂを定数とするとき、
ｐ２  ＝  （ｂ／ａ）・ｐ１                                …（１）
である。ａ＝３は、ｂ＝４であってもよい。
【００２９】
図２は、ドットマトリクス表示器１の表示面２の１文字分の表示領域４を示す正面図である。この表示領域４は、正方形である。表示領域４に存在する表示ドット３の横方向のドット数ｍは、縦方向のドット数ｎよりも小さい（ｍ＜ｎ）。
ｍ  ≒  （ａ／ｂ）・ｎ                                    …（２）
この実施の形態では、ｍ＝１２、ｎ＝１６である。
【００３０】
図３は、前述の１文字分のドットマトリクス表示器の表示領域４が前記一方向（この実施の形態では横方向）に密着して隣接して配置されて構成される表示器５の斜視図である。各表示領域４は、表示ドット３が１列ずつ予め定める時間間隔毎に参照符６で示される方向に移動してスクロール表示が行われる。
【００３１】
表示器５は、その表示面２に配置された表示ドット３が発光ダイオードによって実現されてもよく、そのほかの光を発生する発光素子によって実現されてもよく、または液晶もしくは陰極線管などによって表示ドット３が表示されるように構成されてもよい。これらの表示ドット３は、少なくとも２つの階調で表示可能であり、発光ダイオードで実現されるとき高輝度および低輝度での表示が可能であり、また消灯が可能である。表示ドット３が液晶または陰極線管のドットによって実現されるとき、高濃度、低濃度および消去が可能である。前述の図２では、等しい階調で表示された状態を示し、その活性化されたたとえば高輝度で表示された表示ドット３は斜線を施して示し、消灯している表示ドット３は白丸で示される。
【００３２】
図４は、本発明の実施の一形態における表示装置６の全体の構成を示すブロック図である。マイクロコンピュータなどによって実現される処理回路７には、操作者によって操作されて入力が行われる入力手段８が接続される。表示器５によって表示すべき表示データは、メモリ９にストアされる。この表示器５によって表示すべき各文字毎の表示データは、メモリ１０にストアされる。
【００３３】
さらにメモリ１１が設けられる。メモリ１１にストアされた表示データを有する表示ドットの座標であるアドレスは、メモリ１２にストアされた表示アドレスの変換のためのプログラムを実行することによって、表示器５によって表示すべき各文字毎の表示領域４に表示すべき表示ドットの座標であるアドレスに変換されてストアされる。このメモリ１０にストアされた各文字毎の表示データは、表示器５のためのメモリ９に転送されてストアされる。メモリ９のストア内容である表示データは、スクロール表示駆動手段１３で前述の図３における矢符６の方向にスクロールされるように表示データが移動されて表示器５の各文字毎の表示ドット３に順次的に与えられる。
【００３４】
図５は、ドットマトリクス表示器１における１文字分の表示領域４で文字１４である「あ」を表示した状態を示す正面図である。高輝度で表示される表示ドットは参照符３ａで示される。高輝度で表示される表示ドット３ａは、交差した斜線で示される。表示ドット３ｂは、高輝度の表示ドット３ａよりも低い輝度で表示され、斜線で示される。表示されないそのほかの表示ドット３は、図５では、図示されていない。こうして表示される文字１４の一部分を高輝度の表示ドット３ａで表示し、残余の部分を低輝度の表示ドット３ｂで表示することによって、表示ドット３ａの部分の形状を、視覚的に大きな面積の平面形状で表示することが可能であり、強調表示ができる。これによって横方向のピッチｐ２が、縦方向のピッチｐ１よりも大きいけれども、その横方向のピッチｐ２を、視覚上、擬似的にできるだけ小さくして、文字１４の表示性および表示品位の劣化を防ぐことができる。
【００３５】
図６は、メモリ１１ストアされる表示データを説明するための図である。ドットマトリクス表示器１ａにおける表示面２ａには、複数の表示ドット３ｃがマトリクス状に配置される。この表示面２ａの１文字分の表示領域４ａにおいて、横方向のピッチｐ４と、縦方向のピッチｐ３は等しい（ｐ４＝ｐ３）。したがって１文字分の表示領域４ａに存在する横方向と縦方向とのドット数は等しく、たとえばこの実施の形態では１６個である。１文字分の表示領域４ａの横Ｌ１＝１４４．０ｍｍであり、縦Ｌ２＝１４４．０ｍｍであり、この１文字分の大きさは、図１〜図５の実施の形態と同様である。また図６ではｐ４＝ｐ３＝９．０ｍｍである。前述の図１〜図５の実施の形態では、ｐ１＝９．０ｍｍであり、ｐ２＝１２ｍｍである。
【００３６】
このような図６に示される１文字分の表示領域４ａに備えられる表示ドット３ｃのための表示データは、メモリ１１に予めストアされる。入力手段８によって、表示器５に表示すべき文字を表すデータが入力され、これによって処理回路７は、その入力されて支持されて表示すべき文字を表す表示データを、メモリ１１から読出し、表示アドレス変換手段を実現するメモリ１２にストアされたプログラムを実行し、図１および図２に示されるドットマトリクス表示器１で表示すべき表示データに変換してこのメモリ１０にストアする。こうして得られたメモリ１０の表示データは、表示器５で表示されるべき文字数の表示データ数分、メモリ９に転送されてストアされる。こうして得られたメモリ９の表示データは、スクロール表示駆動手段１３によって表示器５に与えられ、スクロール表示が行われる。
【００３７】
図７は、図６に示されるドットマトリクス表示器１ａの１文字分の表示領域４ａに文字１５である「あ」が表示された状態を示す正面図である。表示を行っている表示ドットは参照符３ｅで示され、またたとえば毛筆で筆記したように文字の一部分を幅広く表示するにあたっては、交差した斜線で示す表示ドット３ｆが、斜線の表示ドット３ｅとともに表示される。この表示ドット３ｅ，３ｆは同一輝度または同一濃度で表示動作を行う。図４に示される処理回路７は、このような図６および図７に示されるメモリ１１にストアされた表示データを、メモリ１２にストアされたプログラムを実行して図７の表示ドット３ｆのための表示データをアドレス変換し、前述の図５に示される表示ドット３ａのように高輝度で表示を行う。これによって横方向のピッチｐ２が大きくても、文字１４の表示性および表示品位の劣化を防ぐことができる。
【００３８】
図８は、処理回路７の動作を説明するためのフローチャートである。ステップａ１からステップａ２に移り、メモリ１１にストアされている図６および図７に示される１文字分の表示領域４ａの表示データを読出す。ステップａ３では、その１文字分の表示領域４ａにおける各文字の表示ドット３ｃが図６に示されるように横方向に第ｉ番目であってかつ縦方向に第ｊ番目であるとき、図１、図２および図５に示されるドットマトリクス表示器の１文字分の表示領域４における横方向の表示アドレスをステップａ４で演算して求める。このステップａ４では、１文字分の表示領域４における横方向の第ｋ番目であってかつ縦方向に前述の表示領域４ａと同一の第ｊ番目である表示ドット３に、読出された表示データを表示させる。ここで
ｋ  ＝  ［（ａ／ｂ）・ｉ］                                …（３）
式３の記号［  ］は、（ａ／ｂ）・ｉの少数点以下を四捨五入した自然数を表す。こうして得られた表示領域４における表示アドレス（ｋ，ｊ）毎の表示データは、メモリ１０に転送され、複数の文字の表示するためにさらにメモリ９に転送される。ステップａ７では、メモリ９にストアされた表示データを、図３のスクロール方向６に一列ずつ横方向に予め定める時間毎に移動して循環し、スクロール演算を行う。これによってスクロール表示駆動手段１３は、ステップａ８で表示器５を表示駆動する。
【００３９】
図９は、図５に示される表示ドット３ａによって処理回路７が強調表示を行う動作を説明するためのフローチャートである。ステップｂ１からステップｂ２に移り、メモリ１１にストアされた１文字分の表示領域４ａ毎の表示ドットが図７の表示ドット３ｆのように横方向に複数ｒ（たとえばこの実施の形態では図７において横方向に２）密着して隣接するかどうかが判断される。密着して隣接する表示ドット３ｆが存在することが判断されると、次のステップｂ３では、その横方向に連続する表示ドット３ｅ，３ｆの個数ｒが、予め定める値ｓ（たとえば２）以上であるかどうかが判断される。この実施の形態では、横方向に２個の表示ドット３ｅ，３ｆが隣接して配置され、したがってステップｂ４では、図７における表示ドット３ｆに対応して表示されるべき図５における表示ドット３ａが高輝度で強調表示される。これによって図５における表示ドット３ａがそれよりも低輝度の表示ドット３ｂよりも大きく視覚的に見える。したがって文字の表現性および表示品位が劣化することが抑制される。
【００４０】
図１０は、本発明の実施の他の形態における表示面２の正面図である。この実施の形態は前述の実施の形態に類似し、対応する部分には同一の参照符を付す。注目すべきはこの実施の形態では、表示ドット３ｇはほぼ楕円形であり、または小判形であってもよく、横方向に細長く延びる。図１０において各表示ドット３ｇの縦方向の短辺はＨで表され、横方向の長辺はＷで示される（Ｈ＜Ｗ）。このようにして各表示ドット３ｇが、横方向に大きいピッチｐ２では、その横方向と同一方向に細長く形成されることによって、表示される文字の違和感を抑制することができる。
【００４１】
図１１は、本発明の実施のさらに他の形態の表示面２の正面図である。この実施の形態では、各表示ドット３ｈは、横方向に間隔をあけることなく密着して隣接して配置される２つの個別的な表示素子１７，１８から成る。このような実施の形態においてもまた、広いピッチｐ２では、表示ドット３ｈが横方向に細長く形成され、表示されるべき文字の違和感を抑制することができる。表示素子１７，１８は、発光ダイオードによって実現されてもよいけれども、単一のランプを覆う透光性のカバーによって、横方向に細長く構成されてもよい。
【００４２】
本発明の実施の他の形態では、横方向のピッチｐ２を、縦方向のピッチｐ１よりも小さく構成し、各表示ドット３ｇ，３ｈを縦方向に細長く構成してもよい。またさらにこのような広い縦方向のピッチｐ１に沿って、縦方向にスクロール表示を行うようにしてもよい。
【００４３】
【発明の効果】
本発明によれば、前記一方向のドット数を削減し、しかも文字の表現性および表示品位の劣化を少なくし、または向上することができるようになる。前記一方向が、たとえば横方向であるとき、日本語の漢字は、横画よりも縦画が少なく、したがってそのような漢字の表現性および表示品位の劣化を少なくすることができる。また前記一方向にスクロール表示させるとき、人間の視覚の残像効果によって違和感が緩和される。
【００４６】
本発明によれば、ドットマトリクス表示器における正方形またはほぼ正方形の１文字分の表示領域には、メモリにストアされた横方向と縦方向との各方向のピッチが等しく配列された複数の表示ドットによって表示すべき既存の表示データを用いて、表示アドレスを変換するようにしたので、ドットマトリクス表示器に表示すべき各文字毎の表示データを新たに作成してメモリにストアして準備する必要がなく、前記メモリのストア内容をそのまま用いて表示アドレスを変換して演算し、ドットマトリクス表示器で表示することができる。こうして各種の文字を簡易的に、しかも既存のドットフォントの基本的な文字のスタイルおよび表示イメージを著しく損ねることなく、ドットマトリクス表示器のための表示データを作成することができる。したがって新たにフォントを開発する労力と費用を大幅に削減することができる。またこの変換後のドットフォントに対し、必要に応じて各文字毎に個別に補正を施す手段が設けられてもよく、このような構成においても、新たにフォントを開発する労力と費用を大幅に削減することができる。
【図面の簡単な説明】
【図１】本発明の実施の一形態のドットマトリクス表示器１の一部の表示面２を示す表面図である。
【図２】ドットマトリクス表示器１の表示面２の１文字分の表示領域４を示す正面図である。この表示領域４は、正方形である。表示領域４に存在する表示ドット３の横方向のドット数ｍは、縦方向のドット数ｎよりも小さい（ｍ＜ｎ）。この実施の形態では、ｍ＝１２、ｎ＝１６である。
【図３】前述の１文字分のドットマトリクス表示器の表示領域４が前記一方向（この実施の形態では横方向）に密着して隣接して配置されて構成される表示器５の斜視図である。
【図４】本発明の実施の一形態における表示装置６の全体の構成を示すブロック図である。
【図５】ドットマトリクス表示器１における１文字分の表示領域４で文字「あ」を表示した状態を示す正面図である。
【図６】メモリ１１ストアされる表示データを説明するための図である。
【図７】図６に示されるドットマトリクス表示器１ａの１文字分の表示領域４ａに文字「あ」が表示された状態を示す正面図である。
【図８】処理回路７の動作を説明するためのフローチャートである。
【図９】図５に示される表示ドット３ａによって処理回路７が強調表示を行う動作を説明するためのフローチャートである。
【図１０】本発明の実施の他の形態における表示面２の正面図である。
【図１１】本発明の実施のさらに他の形態の表示面２の正面図である。
【符号の説明】
１，１ａ  ドットマトリクス表示器
２，２ａ表示面
３，３ａ，３ｂ，３ｃ，３ｄ，３ｅ，３ｆ，３ｇ，３ｈ  表示ドット
４，４ａ  表示領域
５  表示器
６  スクロール方向
７  処理回路
８  入力手段
９，１０，１１，１２  メモリ
１３  スクロール表示駆動手段
１４  文字
１７，１８  表示素子
ｐ１，ｐ３  縦方向のピッチ
ｐ２，ｐ４  横方向のピッチ
【図１】
0003566102.tif 000002
【図２】
0003566102.tif 000003
【図３】
0003566102.tif 000004
【図４】
0003566102.tif 000005
【図５】
0003566102.tif 000006
【図６】
0003566102.tif 000007
【図７】
0003566102.tif 000008
【図８】
0003566102.tif 000009
【図９】
0003566102.tif 000010
【図１０】
0003566102.tif 000011
【図１１】
0003566102.tif 000012